(57)【要約】【課題】簡易な構成でコストを抑制しつつ使用者にカードの読み取り情報を確実に伝達する。【解決手段】読取原稿を自動的に搬送する自動原稿搬送装置１８と、操作動作を入力する操作入力部及び情報が表示される情報表示部を備える操作パネル部８１と、外部から近接され電磁的に接続された情報記録媒体であるＩＣカード１００が格納した情報を非接触で読み取るＩＣカードリーダライタ９３を備える。このＩＣカードリーダライタ９３は、自動原稿搬送装置１８における操作パネル部８１に近接した位置に配置される。操作パネル部８１の表示部には、ＩＣカードリーダライタ９３の読取結果が表示される。【選択図】図６
2010250038.tif 000002
【特許請求の範囲】
【請求項１】
読取原稿を自動的に搬送する自動原稿搬送装置と、操作動作を入力する操作入力部及び情報が表示される情報表示部を備える操作パネル部と、外部から接続された情報記録媒体が格納した情報を読み取る情報読取装置と、を備える画像形成装置において、
前記情報読取装置は、前記自動原稿搬送装置における前記操作パネル部に近接した位置に配置され、
前記操作パネル部の表示部には、前記カード読取装置における情報記録媒体の読取結果を表示されることを特徴とする画像形成装置。
【請求項２】
前記自動原稿搬送装置は前記操作パネル部の近傍に読み取られた原稿が排出される原稿排出台を備え、情報読取装置は前記原稿排出台に配置されていることを特徴とする請求項１に記載の画像形成装置。
【請求項３】
前記情報記録媒体はＩＣカードであり、前記情報読取装置は非接触でカードのリ読み取りを行う非接触式カード読取装置であることを特徴とする請求項１又は請求項２に記載の画像形成装置。
【請求項４】
前記操作パネル部は、液晶タッチパネルを備えることを特徴とする請求項１乃至請求項３のいずれかに記載の画像形成装置。
【発明の詳細な説明】
【技術分野】
【０００１】
本発明は画像形成装置に係り、特に読取原稿を自動的に搬送する自動原稿搬送装置と、操作動作を入力する操作入力部及び情報が表示される情報表示部を備える操作パネル部と、外部から近接あるいは接触された情報記録媒体が格納した情報を読み取る情報読取装置と、を備える画像形成装置の画像形成装置に関する。
【背景技術】
【０００２】
画像形成装置として、情報記録媒体の情報を読み取る情報読取装置を備えたものがある。このような画像形成装置としては、情報記録媒体としてＩＣカードが使用されることがあり、この場合使用者が提示するＩＣカードに格納した情報をＩＣカード読取装置で読み取り、使用者の認証を行うと共に、管理を行うことができる。また、このような画像形成装置としては、使用者が提示するプリペイドカード等を読み取り、複写サービスなどを行うものもある。
【０００３】
このような画像形成装置においては、カード読取装置は画像形成装置に外付けでカード読取装置は接続される場合や、画像形成装置本体にカード読取装置を内蔵される場合がある。特許文献１には、カード読取装置を内蔵する画像形成装置として、ＩＣカードからユーザ識別情報を読み取るＩＣカードリーダを有し、機器情報取得部により画像形成装置の機器情報を取得し、ＩＣカードリーダにより読み取られたユーザ識別情報と、取得した機器情報とに基づき認証データを生成し、生成した認証データを認証サーバへ送信するものが記載されている。
【発明の概要】
【発明が解決しようとする課題】
【０００４】
ここで、画像形成装置を使用するに際して、読み取らせたカードが正常に読み取られたかどうかを使用者に確実に伝えたいという要請がある。この要請に対してはカード読取装置に表示部を設けたり、音声発生部を設け読取状態を告知することで対処できるが、このような方法では、特別の表示部を設けたり、音声発生部を設ける必要があり、構成が複雑となりコストが嵩むという問題がある。
【０００５】
そこで本発明は、簡易な構成でコストを抑制しつつ使用者にカードの読み取り情報を確実に伝達することができる画像形成装置を提供することを目的とする。
【課題を解決するための手段】
【０００６】
請求項１の発明は、読取原稿を自動的に搬送する自動原稿搬送装置と、操作動作を入力する操作入力部及び情報が表示される情報表示部を備える操作パネル部と、外部から接続された情報記録媒体が格納した情報を読み取る情報読取装置と、を備える画像形成装置において、前記情報読取装置は、前記自動原稿搬送装置における前記操作パネル部に近接した位置に配置され、前記操作パネル部の表示部には、前記カード読取装置における情報記録媒体の読取結果を表示されることを特徴とする画像形成装置である。
【０００７】
請求項２の発明は、請求項１に記載の画像形成装置において、前記自動原稿搬送装置は前記操作パネル部の近傍に読み取られた原稿が排出される原稿排出台を備え、情報読取装置は前記原稿排出台に配置されていることを特徴とする。
【０００８】
請求項３の発明は、請求項１又は請求項２に記載の画像形成装置において、前記情報記録媒体はＩＣカードであり、前記情報読取装置は非接触でカードのリ読み取りを行う非接触式カード読取装置であることを特徴とする。
【０００９】
請求項４の発明は、請求項１乃至請求項３のいずれかに記載の画像形成装置において、前記操作パネル部は、液晶タッチパネルを備えることを特徴とする。
【発明の効果】
【００１０】
本発明に係る画像形成装置によれば、情報読取装置を前記自動原稿搬送装置における前記操作パネル部に近接した位置に配置し、操作パネル部の表示部にカード読取装置における情報記録媒体の読取結果を表示するようにしたので、特別の装置を追加することなく使用者に確実に記録媒体の読取結果等を表示することができる。
【図面の簡単な説明】
【００１１】
【図１】実施例が適用される画像形成装置の内部構成を示す断面図である
【図２】原稿自動読取装置の取り付け状態示す斜視図である。
【図３】画像形成装置を示す斜視図である。
【図４】画像形成装置を示す他の方向からの斜視図である。
【図５】画像形成装置の側面図である。
【図６】画像形成装置の平面図である。
【図７】使用状態を示す模式図である。
【発明を実施するための形態】
【００１２】
本発明に係る画像形成装置は、読取原稿を自動的に搬送する自動原稿搬送装置と、操作動作を入力する操作入力部及び情報が表示される情報表示部を備える操作パネル部と、外部から近接され電磁的に接続された情報記録媒体であるＩＣカードが格納した情報を非接触で読み取る情報読取装置であるカード読取装置を備える。このＩＣカード読取装置は、前記自動原稿搬送装置における前記操作パネル部に近接した位置に配置される。また、操作パネル部の表示部には、カード読取装置におけるＩＣカードの読取結果が表示される。自動原稿搬送装置は前記操作パネル部の近傍に読み取られた原稿が排出される原稿排出台を備え、カード読取装置はこの原稿排出台に配置されている。操作パネル部は、液晶タッチパネルを備える。
【実施例】
【００１３】
以下実施例に係る画像形成装置について説明する。まず画像形成装置の概略構成を説明する。図１は実施例が適用される画像形成装置の内部構成を示す断面図、図２は自動原稿読取装置の取り付け状態示す斜視図である。
【００１４】
本発明が適用される画像形成装置である複写機１１は、記録媒体にトナー像を形成する画像形成手段１２と、この画像形成手段１２によって形成された記録媒体上のトナー像を、その記録媒体に定着する定着装置１３と、画像形成手段１２に記録媒体を給送する記録媒体搬送装置１４と、画像形成手段１２、定着装置１３及び記録媒体搬送装置１４を収容する第１の装置本体１５と、原稿画像を読取る画像読取手段１６と、画像読取手段１６を収容する第２の装置本体１７と、原稿を搬送する開閉体として圧板の機能を有する自動原稿搬送装置１８（ＡＤＦ）と、を備えている。また、ＡＤＦ１８は、図２に示すように、第２の装置本体１７にヒンジ機構１９を介して第２の装置本体１７に開閉自在に搭載されている。このような構成により、この例では第２の装置本体１７と自動原稿搬送装置１８とで画像読取部を構成している。
【００１５】
ＡＤＦ１８は、原稿束を載置可能な原稿載置台２０と、原稿載置台２０に載置された原稿束の上面に当接して原稿束を送り出す当接位置及び原稿束から離隔する離隔位置の間で移動するピックアップローラ２１と、ピックアップローラ２１によって送り出された原稿束から原稿を１枚ずつ分離して読取位置であるスリットガラス３６に向かって搬送する給紙ベルト２２、リバースローラ２３、搬送ローラ対２４からなる原稿搬送手段２５と、読取位置で読取りが終了した原稿を原稿排出台２６に排紙する搬送ローラ対２７及び排紙ローラ対２８からなる原稿排出手段２９とを備えている。
【００１６】
また、排紙ローラ対２８は、駆動ローラ２８ａと、駆動ローラ２８ａに摺接する従動ローラ２８ｂ及び従動ローラ２８ｃとを備えており、排紙ローラ対２８の近傍には切換爪３０が設けられている。切換爪３０は、第１の切換位置と第２の切換位置との間で移動するようになっており、切換爪３０が第１の切換位置に切換えられると、駆動ローラ２８ａ及び従動ローラ２８ｂによって原稿が原稿排出台２６に排紙されるようになっている。また、切換爪３０が第２の切換位置に切換えられると、駆動ローラ２８ａ及び従動ローラ２８ｃによって原稿がスイッチバック通路３１に搬送されるようになっている。
【００１７】
スイッチバック通路３１には正逆回転自在なスイッチバックローラ対３２が設けられており、スイッチバック通路３１に搬送される原稿は、スイッチバックローラ対３２によって図１中、右方向に搬送された後、スイッチバックローラ対３２が逆転駆動することにより、再搬送経路を介して搬送ローラ対２４に搬送される。このため、原稿が反転されて読取位置に搬送される。
【００１８】
また、画像読取手段１６は、それ自体周知のように、光学系３４を収容した第２の装置本体１７と、第２の装置本体１７の上部に固定配置されたコンタクトガラス３５及びスリットガラス３６とを備えている。この画像読取手段１６にあっては、閉じられた原稿や本等からなる原稿をコンタクトガラス３５上に原稿を載置して、その原稿を自動原稿搬送装置１８によって押圧することにより、原稿を読取ることができる。また、自動原稿搬送装置１８によって自動搬送される原稿はスリットガラス３６の読取位置で読取られるようになっている。即ち、画像読取手段としての光学系３４は、光源３７と第１ミラー３８とを有する第１走行体３９と、第２ミラー４０及び第３ミラー４１を有する第２走行体４２と、結像レンズ４３と、ＣＣＤイメージセンサ４４とを備えており、第１走行体３９及び第２走行体４２は、図１に示した位置から右方に移動し、このとき、光源３７から出射する光によって原稿を照明し、その反射光を第１ミラー３８、第２ミラー４０及び第３ミラー４１の順に反射した後、結像レンズ４３を通してＣＣＤイメージセンサ４４に入射する。このようにして原稿画像がＣＣＤイメージセンサ４４に結像されることにより、原稿の画像が読取られる。
【００１９】
自動原稿搬送装置１８によって原稿を読取る場合には、図１中、右方に示す位置に第１走行体３９及び第２走行体４２を固定した状態で上述した手順で走行する原稿を読取る。
【００２０】
画像形成手段１２は、ドラム状の感光体からなる第１像担持体４５Ｙ、第２像担持体４５Ｃ、第３像担持体４５Ｍ及び第４像担持体４５ＢＫを備えており、これら第１〜第４像担持体４５Ｙ〜４５ＢＫには、複数の支持ローラに巻き掛けられた無端ベルトからなる中間転写ベルト４６が対向配置されている。第１〜第４像担持体４５Ｙ〜４５ＢＫは、それぞれ図１における時計方向に回転駆動されるようになっており、中間転写ベルト４６は図１中、矢印Ａ方向に回転駆動される。このとき、第１像担持体４５Ｙは、帯電ローラ４７によって所定の極性に帯電される。
【００２１】
光書き込みユニット４８からは、上述した原稿の読取り結果に応じた画信号に基づいて光変調されたレーザビームＬが出射されるようになっており、第１像担持体４５Ｙの帯電面にそのレーザビームＬが照射されることによって第１像担持体４５Ｙに静電潜像が形成され、この静電潜像は現像装置４９によってイエロートナー像として可視像化される。
【００２２】
一次転写ローラ５０には、転写電圧が印加されることによって、第１像担持体４５Ｙ上に形成されたトナー像が図１中、矢印Ａ方向に回転する中間転写ベルト４６上に一次転写される。トナー像転写後の第１像担持体４５Ｙ上に付着する転写残トナーは、クリーニング装置５２によって除去される。本実施の形態の複写機１１においては、第１像担持体４５Ｙと、その周囲に配設された帯電ローラ４７と、現像装置４９と、クリーニング装置５２とによって一体的なプロセスカートリッジが構成されている。
【００２３】
また、現像装置４９は、粉体状のトナーを収容した現像容器５３を有し、そのトナーによって静電潜像が可視像化される。また、現像容器５３内のトナー量が減少したとき、トナーボトル５４Ｙから現像容器５３にトナーが補給される。
【００２４】
一方、クリーニング装置５２は、第１像担持体４５Ｙから除去されたトナーを受け入れるクリーニング容器５５を備えており、クリーニング容器５５内のトナーは、トナー搬送装置によって、図示していない廃トナー容器に搬送される。このように、現像容器５３、トナーボトル５４Ｙ、クリーニング容器５５及び廃トナー容器にはトナーが収容されている。
【００２５】
上述した動作と同様にして、第２像担持体４５Ｃ、第３像担持体４５Ｍ及び第４像担持体４５ＢＫ上にシアントナー像、マゼンタトナー像及びブラックトナー像がそれぞれ形成され、これらのトナー像がイエロートナー像の転写された中間転写ベルト４６上に順次重ねて一次転写される。
【００２６】
これらの第２像担持体４５Ｃ、第３像担持体４５Ｍ、第４像担持体４５ＢＫにトナー像を形成する現像装置の現像容器内のトナー量が減少したときも、各トナーボトル５４Ｃ、５４Ｍ、５４ＢＫから、その各現像容器にトナーが補給される。
【００２７】
このようにして、中間転写ベルト４６上に転写された重ねトナー像は、二次転写ローラ５６の作用によって記録媒体に二次転写され、その転写後の中間転写ベルト４６上に付着する転写残トナーは、ベルト用のクリーニング装置５２により除去される。このクリーニング装置５２のクリーニング容器５５にもトナーが収容され、そのトナーは図示していない廃トナー容器に搬送される。
【００２８】
記録媒体搬送装置１４は中間転写ベルト４６の下方に配置されており、この記録媒体搬送装置１４は、記録紙等からなる記録媒体Ｓを収容した給紙カセット５７と、最上位の記録媒体Ｓに接触する給紙ローラ５８と、レジストローラ対５９とを有し、給紙ローラ５８の回転によって最上位の記録媒体Ｓが図１中、矢印Ｂ方向に送り出される。送り出された記録媒体Ｓは、レジストローラ対５９の回転によって、所定のタイミングで中間転写ベルト４６と、中間転写ベルト４６に対向配置された二次転写ローラ５６との間に給送される。
【００２９】
この記録媒体Ｓが中間転写ベルト４６と二次転写ローラ５６との間を通過するとき、二次転写ローラ５６には転写電圧が印加されることによって中間転写ベルト４６上の重ねトナー像が記録媒体に二次転写される。このようにして、画像形成手段１２により、記録媒体Ｓ上にトナー像が形成されるのである。
【００３０】
そして、トナー像が形成された記録媒体Ｓは定着装置１３を通過し、このとき画像形成手段１２によって形成された記録媒体Ｓ上のトナー像がその記録媒体Ｓに定着される。また、定着装置１３によって画像が定着された記録媒体Ｓは排紙ローラ対６０によって排紙空間部６１内上に排紙される。
【００３１】
この排紙空間部６１は、画像形成手段１２を収納する第１の装置本体１５と画像読取手段１６を収納する第２の装置本体１７の間に形成されており、本実施の形態では、排紙ローラ対６０による記録媒体Ｓの排紙方向下流側の第１の装置本体１５及び第２の装置本体１７の間が開放される胴内排紙型の複写機１１となっている。尚、排紙空間部６１には必要に応じてビン排紙トレイ８２が配置される（図４参照）。また、排紙ローラ対６０の上流側には切換レバー６２が設けられており、この切換レバー６２は記録媒体の表面の複写が終了したときに、記録媒体Ｓの裏面に複写を行うときに、反転通路６３側に切換えられるようになっている。
【００３２】
即ち、記録媒体Ｓの後端が排紙ローラ対６０に挟持されると、排紙ローラ対６０が逆転駆動するとともに、切換レバー６２が反転通路６３に連通する位置に切換えられ、記録媒体Ｓが反転通路６３に向かって搬送される。
【００３３】
この反転通路６３には反転ローラ対６４が設けられており、この反転ローラ対６４によって反転通路６３を搬送される記録媒体は、二次転写ローラ５６側に搬送される。
一方、スリットガラス３６上には反射ガイド板６５が設けられており、この反射ガイド板６５は光源３７からの光を反射するようになっている。
【００３４】
また、コンタクトガラス３５とスリットガラス３６の間には図３に示すようなガイド部材７１が設けられており、このガイド部材７１は、スリットガラス３６を通過した原稿を掬い上げて搬送ローラ対２７に向かって案内するようになっている。
【００３５】
次に本実施例に係る画像形成装置の特徴部分について説明する。図３は実施例に係る画像形成装置を示す斜視図、図４は実施例に係る画像形成装置を示す他の方向からの斜視図、図５は実施例に係る画像形成装置の側面図、図６は実施例に係る画像形成装置の平面図、図７は使用状態を示す模式図である。
【００３６】
複写機１１は上述したように第１の装置本体１５と原稿読取装置である第２の装置本体１７との間に排紙空間部６１を形成している。本例では、第１の装置本体１５には液晶タッチパネルで構成される操作パネル部８１が配置角度可変に取り付けられている。この操作パネル部８１は画像形成装置本体及び自動原稿搬送装置１８の操作及びそれらの状態が表示される。また、排紙空間部６１内にはビン排紙トレイ８２が配置される。このビン排紙トレイ８２には排紙された記録媒体の取り出しを容易にするため、切欠部８３が形成されている。
【００３７】
自動原稿搬送装置１８は、配置された原稿束から原稿を１枚ずつ移送する原稿搬送手段２５が内蔵された原稿搬送部９１と、搬送され読み取られた原稿が排出される原稿排出台とを備えている。本例では原稿排出台２６は、コンタクトガラス３５上に配置された原稿を押圧する圧板９２上に配置されている。
【００３８】
そして、本例では原稿排出台２６には、近接配置されたＩＣカード１００に非接触で接続され、ＩＣカード１００に格納された情報を読み書きする情報読取装置としてのＩＣカードリーダライタ９３が配置されている。ＩＣカード１００及びＩＣカードリーダライタ９３は公知の手法でデータの授受を行う。また、ＩＣカードリーダライタ９３は、原稿排出台２６のうち画像形成装置の操作パネル部８１に近接した位置に配置される。この例では、画像形成装置は、ＩＣカードに記録された使用者情報を読み取り、使用状況の管理をおこなう。
【００３９】
そして、操作パネル部８１には、画像形成装置の動作状態の他、ＩＣカードリーダライタ９３におけるＩＣカード１００の読取状態が表示される。従って、本実施例によれば、図７に示すように、使用者Ｅは、ＩＣカード１００をＩＣカードリーダライタ９３に近接配置した状態で、操作パネル部８１に表示されたＩＣカード１００の読取状態を容易に確認することができる。
【００４０】
尚、上記例では、情報記録媒体をＩＣカードとして説明したが、これは磁気カード、メモリカード等の他の形式の記録媒体とすることができる。また、情報読取装置は、使用される記録媒体に対応して選択することができ、接触、非接触を問わない。また、情報記録媒体を使用して管理される内容は、使用状況の管理の他、コピーサービスの管理等、その他の管理とすることができる。
【符号の説明】
【００４１】
１１：複写機
１２：画像形成手段
１３：定着装置
１４：記録媒体搬送装置
１５：第１の装置本体
１６：画像読取手段
１７：第２の装置本体
１８：自動原稿搬送装置
１９：ヒンジ機構
２０：原稿載置台
２１：ピックアップローラ
２２：給紙ベルト
２３：リバースローラ
２４：搬送ローラ対
２５：原稿搬送手段
２６：原稿排出台
２７：搬送ローラ対
２８：排紙ローラ対
２８ａ：駆動ローラ
２８ｂ：従動ローラ
２８ｃ：従動ローラ
２９：原稿排出手段
３０：切換爪
３１：スイッチバック通路
３２：スイッチバックローラ対
３４：光学系
３５：コンタクトガラス
３６：スリットガラス
３７：光源
３８：第１ミラー
３９：第１走行体
４０：第２ミラー
４１：第３ミラー
４２：第２走行体
４３：結像レンズ
４４：ＣＣＤイメージセンサ
４５Ｙ〜４５ＢＫ：第１〜第４像担持体
４６：中間転写ベルト
４７：帯電ローラ
４８：ユニット
４９：現像装置
５０：一次転写ローラ
５２：クリーニング装置
５３：現像容器
５４Ｃ、５４Ｍ、５４ＢＫ：トナーボトル
５５：クリーニング容器
５６：二次転写ローラ
５７：給紙カセット
５８：給紙ローラ
５９：レジストローラ対
６０：排紙ローラ対
６１：排紙空間部
６２：切換レバー
６３：反転通路
６４：反転ローラ対
６５：反射ガイド板
７１：ガイド部材
８１：操作パネル部
８２：ビン排紙トレイ
８３：切欠部
９１：原稿搬送部
９２：圧板
９３：ＩＣカードリーダライタ（情報読取装置）
１００：ＩＣカード
【先行技術文献】
【特許文献】
【００４２】
【特許文献１】特開２００８−１６２１７１公報
【図１】
2010250038.tif 000003
【図２】
2010250038.tif 000004
【図３】
2010250038.tif 000005
【図４】
2010250038.tif 000006
【図５】
2010250038.tif 000007
【図６】
2010250038.tif 000008
【図７】
2010250038.tif 000009